(57)【特許請求の範囲】
【請求項１】
ケースの貫通孔に固定された円筒部材と、
前記ケースの外部に位置する操作用の頭部およびこの頭部に連設されて前記円筒部材内に回転可能に挿入する軸部を有する操作部材と、
前記操作部材の前記軸部の端部に取り付けられた駆動歯車と、
前記ケースの内部に回転移動可能に配置され、かつ前記駆動歯車に向けて突出した状態で設けられて前記駆動歯車が噛み合うラックを有する内転リングと、
前記軸部の中央部に配置され、前記操作部材と共に回転し、前記ケースの内部側面に第１の凹凸部を有する可動歯車と、
前記可動歯車を前記ケースの内部側に付勢する付勢部材と、
を備え、
前記円筒部材は、前記第１の凹凸部に対応して設けられた第２の凹凸部を有し、
前記第１の凹凸部と前記第２の凹凸部とは、前記可動歯車と前記円筒部材との各中心部側とその各外周部側とで凹凸高さが異なっていることを特徴とする回転操作装置。
【請求項２】
請求項１に記載の回転操作装置において、前記第２の凹凸部は、前記円筒部材内に固定
された固定歯車に、前記第１の凹凸部と対応して設けられていることを特徴とする回転操
作装置。
【請求項３】
請求項１または請求項２に記載の回転操作装置において、前記第１の凹凸部と前記第２
の凹凸部とは、前記内転リングの回転角度と関連する角度で設けられていることを特徴と
する回転操作装置。
【請求項４】
請求項１〜請求項３のいずれかに記載の回転操作装置において、前記第１の凹凸部と前
記第２の凹凸部とは、前記可動歯車と前記円筒部材との対向面における予め定められた基
準位置に設けられて互いに係脱可能に係合することを特徴とする回転操作装置。
【請求項５】
請求項１〜請求項４のいずれかに記載の回転操作装置において、前記第１の凹凸部と前
記第２の凹凸部とのうち、少なくとも一方は、予め定められた角度で等間隔に複数設けら
れていることを特徴とする回転操作装置。
【請求項６】
請求項５に記載の回転操作装置において、前記予め定められた角度は、１度〜３６０度
のうちの整数の角度、または３６０度の最大公約数の角度に設定されていることを特徴と
する回転操作装置。
【請求項７】
ケースの貫通孔に固定された円筒部材と、
前記円筒部材内に回転可能に挿入する軸部を有する操作部材と、
前記軸部に配置され、前記操作部材と共に回転し、第１の凹凸部を有する可動歯車と、
を備え、
前記円筒部材は、前記第１の凹凸部に対応して設けられた第２の凹凸部を有し、
前記第１の凹凸部と前記第２の凹凸部とは、前記可動歯車と前記円筒部材との各中心部側とその各外周部側とで凹凸高さが異なっていることを特徴とする回転操作装置。
【請求項８】
請求項１〜請求項７のいずれかに記載された回転操作装置を備えていることを特徴とする時計。
【発明の詳細な説明】
【技術分野】
【０００１】
この発明は、腕時計などの電子機器に用いられる回転操作装置およびそれを備えた時計に関する。
【背景技術】
【０００２】
例えば、腕時計においては、特許文献１に記載れているように、腕時計ケースの側部に操作部材を回転操作可能に設け、この操作部材の内端部に設けられた駆動歯車を腕時計ケース内に設けられた内転リングのラックに噛み合わせ、操作部材を回転操作させて駆動歯車を回転させた際に、その駆動歯車の回転に応じて内転リングが腕時計ケースの内周面に沿って回転移動するように構成された回転操作装置が知られている。
【先行技術文献】
【特許文献】
【０００３】
【特許文献１】特開２０１０−１３９３９９号公報
【０００４】
このような回転操作装置は、腕時計ケースの貫通孔に円筒部材が取り付けられ、この円筒部材内に頭部を有する操作部材の軸部が回転可能に挿入され、この軸部の端部に駆動歯車が取り付けられ、この駆動歯車が腕時計ケースの内部に回転移動可能に配置された内転リングのラックに噛み合うように構成されている。
【発明の概要】
【発明が解決しようとする課題】
【０００５】
しかしながら、このような腕時計の回転操作装置では、操作部材の頭部を回転させて駆動歯車を回転させると、この駆動歯車の回転に伴って内転リングのラックが順次噛み合うことにより、内転リングを腕時計ケースの内周面に沿って回転移動させることができても、内転リングの回転に応じた操作感が得られないため、内転リングの回転位置を視認しなければ、内転リングの回転位置を確認することができないという不都合がある。
【０００６】
この発明が解決しようとする課題は、内転リングの回転位置を視認しなくても、操作部材の操作感によって確認することができる回転操作装置およびそれを備えた時計を提供することである。
【課題を解決するための手段】
【０００７】
この発明は、ケースの貫通孔に固定された円筒部材と、前記ケースの外部に位置する操作用の頭部およびこの頭部に連設されて前記円筒部材内に回転可能に挿入する軸部を有する操作部材と、前記操作部材の前記軸部の端部に取り付けられた駆動歯車と、前記ケースの内部に回転移動可能に配置され、かつ前記駆動歯車に向けて突出した状態で設けられて前記駆動歯車が噛み合うラックを有する内転リングと、前記軸部の中央部に配置され、前記操作部材と共に回転し、前記ケースの内部側面に第１の凹凸部を有する可動歯車と、前記可動歯車を前記ケースの内部側に付勢する付勢部材と、を備え、前記円筒部材は、前記第１の凹凸部に対応して設けられた第２の凹凸部を有し、前記第１の凹凸部と前記第２の凹凸部とは、前記可動歯車と前記円筒部材との各中心部側とその各外周部側とで凹凸高さが異なっていることを特徴とする回転操作装置である。
【発明の効果】
【０００８】
この発明によれば、操作部材の頭部を回転させて内転リングをケースの内部で回転移動させる際に、第１の凹凸部と第２の凹凸部とを係脱可能に係合させることができると共に、第１の凹凸部と第２の凹凸部とが係合する際に、付勢部材の付勢力によって操作部材に操作感を付与することができる。これにより、内転リングの回転位置を視認しなくても、操作部材の操作感によって内転リングの回転位置を確認することができる。
【図面の簡単な説明】
【０００９】
【図１】この発明を腕時計に適用した第１実施形態において、一部を破断して示した拡大正面図である。
【図２】図１に示された腕時計のＡ−Ａ矢視における要部を示した拡大断面図である。
【図３】図２に示された回転操作装置の要部を分解して示した拡大斜視図である。
【図４】図３に示された回転操作装置の拡大断面図である。
【図５】図２に示された回転操作装置における内転リングの回転見切り板を示した拡大正面図である。
【図６】図３に示された可動歯車の第１凹凸部と固定歯車の第２凹凸部とを示し、（ａ）は固定歯車の第２凹凸部を示した拡大図、（ｂ）は可動歯車の第１凹凸部を示した拡大図である。
【図７】この発明を腕時計に適用した第２実施形態において、可動歯車の第１凹凸部と固定歯車の第２凹凸部とを示し、（ａ）は固定歯車の第２凹凸部を示した拡大図、（ｂ）は可動歯車の第１凹凸部を示した拡大図である。
【図８】この発明を腕時計に適用した第３実施形態において、可動歯車の第１凹凸部と固定歯車の第２凹凸部とを示し、（ａ）は固定歯車の第２凹凸部を示した拡大図、（ｂ）は可動歯車の第１凹凸部を示した拡大図である。
【図９】図８に示された第１凹凸部と第２凹凸部との各内周側山部の噛み合い高さと、第１凹凸部と第２凹凸部との各外周側山部の噛み合い高さと、を示した要部の拡大断面図である。
【発明を実施するための形態】
【００１０】
（第１実施形態）
以下、図１〜図６を参照して、この発明を腕時計に適用した第１実施形態について説明する。
この腕時計は、図１に示すように、腕時計ケース１を備えている。この腕時計ケース１は、図２に示すように、上部側に位置する金属製の第１ケース２と下部側に位置する金属製の第２ケース３とで構成されている。
【００１１】
この腕時計ケース１の上部開口部、つまり第１ケース２の上部開口部には、図２に示すように、時計ガラス４がパッキン４ａを介して取り付けられている。この腕時計ケース１の下部、つまり第２ケース３の下部には、裏蓋５が防水リング５ａを介して取り付けられている。
【００１２】
また、この腕時計ケース１の内部、つまり第２ケース３の内部には、図２に示すように、時計モジュール６が設けられている。この時計モジュール６は、図示ないが、時刻などの情報を表示する表示部や、指針の運針により時刻を指示する時計ムーブメントなどの時計機能に必要な各種の部品を備えている。
【００１３】
この時計モジュール６と時計ガラス４との間に位置する腕時計ケース１における第１ケース２の内周面には、図２に示すように、見切り部材７および後述する内転リング１１が設けられている。また、腕時計ケース１の３時側、４時側、および８時側に位置する各側部には、図１に示すように、スイッチ装置８がそれぞれ設けられており、この腕時計ケース１の２時側に位置する側部には、回転操作装置１０が設けられている。
【００１４】
この回転操作装置１０は、図１および図２に示すように、腕時計ケース１の２時側に位置する側部にその内外に突出した状態で回転操作可能に設けられた操作部材１２と、この操作部材１２の内端部に取り付けられた駆動歯車１３と、腕時計ケース１の第１ケース２の内周面に沿って回転する内転リング１１と、第１ケース２の内周面に設けられて内転リング１１を回転移動可能に保持するガイド保持部１４と、を備えている。
【００１５】
この場合、腕時計ケース１の２時側に位置する側部には、図２に示すように、貫通孔１ａが内部と外部とに貫通して設けられている。この貫通孔１ａ内には、円筒部材１５が腕時計ケース１の内部と外部とに突出して設けられている。この円筒部材１５は、貫通孔１ａ内に配置される小径筒部１５ａと、貫通孔１ａから腕時計ケース１の外部に突出する大径筒部１５ｂと、を有している。
【００１６】
この場合、小径筒部１５ａは、図２〜図４に示すように、その外径が貫通孔１ａの内径とほぼ同じ大きさに形成され、軸方向の長さが貫通孔１ａの軸方向の長さとほぼ同じ長さに形成されている。この小径筒部１５ａの内部には、小径の軸孔１５ｃが貫通して設けられている。
【００１７】
また、大径筒部１５ｂは、図２〜図４に示すように、その外径が小径筒部１５ａの外径よりも大きく、第２ケース３の上下方向の高さよりも少し小さく形成され、その軸方向の長さが小径筒部１５ａとほぼ同じ長さに形成されている。この大径筒部１５ｂの内部には、その内径が小径筒部１５ａの外径よりも大きい大径の収納孔１５ｄが設けられている。
【００１８】
操作部材１２は、図１および図２に示すように、スイッチ操作を行うためのものであり、頭部１６と、この頭部１６に連設された軸部１７と、を備えている。頭部１６は、腕時計ケース１の外部に配置されている。軸部１７は、円筒部材１５の軸孔１５ｃおよび収納孔１５ｄに挿入されて腕時計ケース１の内部と外部とに突出し、この状態で円筒部材１５内に回転可能で、かつスライド可能に取り付けられている。
【００１９】
この場合、操作部材１２は、図２に示すように、その軸方向に押し出された第１の位置と、軸方向に押し込まれた第２の位置とに、回転可能な状態で、移動するように構成されている。すなわち、この操作部材１２は、第１の位置に押し出された際に、軸部１７の内端部が時計モジュール６の接点部（図示せず）から離れてスイッチをオフ状態にし、第２の位置に押し込まれた際に、軸部１７の内端部が時計モジュール６の接点部を押してスイッチをオン状態にするように構成されている。
【００２０】
また、この操作部材１２の頭部１６は、図２〜図４に示すように、その内径が円筒部材１５の大径筒部１５ｂの外径とほぼ同じか、それよりも少し大きい円筒状に形成されている。この頭部１６は、その内部における軸方向の長さが円筒部材１５の大径筒部１５ｂにおける軸方向の長さとほぼ同じ長さに形成されている。
【００２１】
また、操作部材１２の軸部１７は、図２〜図４に示すように、ほぼ角棒状に形成され、その外径が円筒部材１５の軸孔１５ｃに内接する非円形のほぼ四角形状に形成されている。この軸部１７の外周面には、円筒部材１５の小径筒部１５ａの内周面に弾接して摺動する複数の防水リング２０が設けられている。また、この軸部１７における腕時計ケース１内に突出する内端部側（図２では左端部側）には、駆動歯車１３がＥリングなどの抜止め部材２１によって取り付けられている。
【００２２】
この場合、抜止め部材２１は、図２に示すように、軸部１７の内端部（図２では左端部）に設けられた取付溝部１７ａに取り付けられて、駆動歯車１３が軸部１７から脱落するのを防ぐように構成されている。また、駆動歯車１３は、その中心部にほぼ四角形状の軸孔２２が設けられ、この軸孔２２に操作部材１２の軸部１７がスライド可能に嵌合するように構成されている。
【００２３】
これにより、駆動歯車１３は、図２に示すように、軸部１７にスライド可能に取り付けられ、この状態で操作部材１２と共に一体的に回転すると共に、操作部材１２が第１の位置に押し出される際、また操作部材１２が第２の位置に押し込まれる際に、軸部１７の移動に対して相対的にスライドすることにより、常に同じ位置を維持するように構成されている。
【００２４】
この駆動歯車１３は、図２に示すように、その外周部に等間隔で多数の歯部１３ａが設けられ、この駆動歯車１３の上側に位置する歯部１３ａが腕時計ケース１内に設けられた内転リング１１の後述するラック２４に噛み合い、この状態で操作部材１２の回転操作に伴って操作部材１２と共に回転し、その回転に連動して内転リング１１を駆動歯車１３の回転方向と直交する方向である腕時計ケース１の内周面に沿って回転させるように構成されている。
【００２５】
一方、内転リング１１は、図２に示すように、時計ガラス４を通してその上方向から見る状態で、腕時計ケース１の内周面に沿って回転するように構成されている。この場合、腕時計ケース１の第１ケース２の内周面には、内転リング１１を回転移動可能に保持するガイド保持部１４が第１ケース２内に向けて鍔状に突出して設けられている。
【００２６】
また、この内転リング１１は、図２に示すように、第１ケース２のガイド保持部１４上に回転移動可能に配置されるリング状の回転体２５と、この回転体２５上に設けられた回転見切り板２６と、回転体２５の下面に設けられて駆動歯車１３が噛み合うラック２４と、を備えている。回転体２５は、平板状のリング部２５ａと、このリング部２５ａの外周部に起立して設けられた外周部２５ｂと、を有している。
【００２７】
この回転体２５は、図２に示すように、その外周部２５ｂの上端部が時計ガラス４の下面に接触または接近した状態で配置されている。また、この回転体２５は、その外周部２５ｂの外周面が第１ケース２の内周面に接近した状態で配置されている。これにより、回転体２５は、第１ケース２の内周面に沿って回転移動するように構成されている。
【００２８】
回転見切り板２６は、図２に示すように、回転体２５のリング部２５ａ上に設けられている。この回転見切り板２６は、その外周端が回転体２５の外周部２５ｂとほぼ同じ高さで、内周端が外周端よりも低く形成されている。これにより、回転見切り板２６は、その上面が外周側から内周側に向けて次第に低くなる斜面２６ａに形成され、この斜面２６ａに、図５に示すように、方位（東西南北）を表す目盛マーク２６ｂが例えば１５度の角度で等間隔に表示された構成になっている。
【００２９】
ラック２４は、図２に示すように、駆動歯車１３の上部側に位置する歯部１３ａに対応する回転体２５の下面に、その下側つまり駆動歯車１３に向けて突出した状態で、回転体２５の円周方向に沿ってリング状に設けられている。このラック２４は、その円周方向に沿って多数の歯部が下側に突出して設けられ、これら多数の歯部に駆動歯車１３の上部側に位置する歯部１３ａが順次噛み合うことにより、回転体２５と共に回転移動するように構成されている。
【００３０】
この場合、第１ケース２のガイド保持部１４の上面には、図２および図３に示すように、内転リング１１のラック２４が回転移動可能に挿入するガイド溝２７が第１ケース２の内周面に沿ってリング状に形成されている。このガイド溝２７は、その内部にラック２４が回転移動可能に挿入されていることにより、ラック２４および回転体２５の径方向における位置を規制するように構成されている。
【００３１】
また、このガイド溝２７は、図２に示すように、腕時計ケース１の２時側に位置する箇所が下側に開放され、この開放された箇所に駆動歯車１３の上部側に位置する歯部１３ａが挿入されてラック２４に噛み合うように構成されている。また、ガイド保持部１４の内周面には、図２に示すように、見切り部材７が設けられている。この見切り部材７は、リング状に形成され、時計モジュール６の上部に設けられた文字板（図示せず）の外周縁を覆うように構成されている。
【００３２】
すなわち、この見切り部材７は、図２に示すように、その外周側の厚みが厚く、内周側に向けて次第に厚みが薄くなる傾斜面７ａに形成されている。また、この見切り部材７は、その外周部がガイド保持部１４の内周面に取り付けられた状態で、下面が文字板（図示せず）の外周縁における上面に接近すると共に、外周側の上面が内転リング１１の回転見切り板２６の内端下部に接近して配置されるように構成されている。
【００３３】
ところで、回転操作装置１０は、図２〜図４に示すように、前述した円筒部材１５、操作部材１２、駆動歯車１３、および内転リング１１のほかに、操作部材１２の軸部１７の中央部に配置された可動歯車２８と、この可動歯車２８を腕時計ケース１の内部側に向けて付勢するばね部材２９と、円筒部材１５の大径筒部１５ｂ内に設けられた固定歯車３０と、を備えている。
【００３４】
可動歯車２８は、図２〜図４に示すように、円板状に形成されている。この可動歯車２８は、その外径が円筒部材１５の大径筒部１５ｂにおける収納孔１５ｄの内径よりも少し小さく形成されている。また、この可動歯車２８の中心部には、操作部材１２の軸部１７が挿入する非円形状であるほぼ四角形状の挿入孔２８ａが設けられている。
【００３５】
これにより、可動歯車２８は、図２〜図４に示すように、挿入孔２８ａに軸部１７が挿入することにより、軸部１７と共に一体的に回転すると共に、軸部１７にその軸方向に沿ってスライドするように構成されている。また、この可動歯車２８は、腕時計ケース１の内部側に位置する内面に第１凹凸部３１が放射状に設けられた構成になっている。
【００３６】
一方、固定歯車３０は、図２〜図４に示すように、可動歯車２８と同じ大きさの円板状に形成されている。この固定歯車３０は、その外径が、可動歯車２８と同様、円筒部材１５の大径筒部１５ｂにおける収納孔１５ｄの内径よりも少し小さく形成されている。また、この固定歯車３０の中心部には、操作部材１２の軸部１７が回転自在に挿入する円形状の挿入孔３０ａが設けられている。
【００３７】
また、この固定歯車３０は、図２〜図４に示すように、腕時計ケース１の内部側に位置する内面に設けられた回転止め用の突起部３０ｂを備えている。この回転止め用の突起部３０ｂは、円筒部材１５の大径筒部１５ｂにおける内部の側面に設けられた回転止め用の凹部１５ｅに挿入することにより、円筒部材１５の大径筒部１５ｂ内で固定歯車３０が回転しないように構成されている。
【００３８】
さらに、この固定歯車３０は、図２〜図４に示すように、腕時計ケース１の外部側に位置する外面、つまり可動歯車２８に対面する外面に、第２凹凸部３２が放射状に設けられた構成になっている。この第２凹凸部３２は、可動歯車２８の第１凹凸部３１が係脱可能に係合するように構成されている。
【００３９】
ばね部材２９は、図２〜図４に示すように、コイルばねであり、頭部１６の内端面と可動歯車２８の外端面との間に位置する軸部１７の外周に配置され、この状態で外端部が頭部１６の内端面に弾接し、内端部が可動歯車２８の外端面に弾接するように構成されている。これにより、ばね部材２９は、可動歯車２８を固定歯車３０に押し付ける方向に付勢すると共に、頭部１６を腕時計ケース１の外部に向けて押し出す方向に付勢するように構成されている。
【００４０】
ところで、駆動歯車１３と内転リング１１のラック２４とは、図２に示すように、操作部材１２の頭部１６の回転角度と内転リング１１の回転角度とが同じ回転角度になるように構成されている。すなわち、これら駆動歯車１３と内転リング１１のラック２４とは、操作部材１２の頭部１６を１回転させて駆動歯車１３を１回転させた際に、内転リング１１が１回転するように構成されている。
【００４１】
例えば、駆動歯車１３と内転リング１１のラック２４とは、図２および図５に示すように、操作部材１２の頭部１６を１５度回転させた際に、駆動歯車１３が１５度回転し、この駆動歯車１３の回転に伴って内転リング１１が１５度回転し、この内転リング１１の回転見切り板２６の目盛マーク２６ｂが１目盛ずれるように構成されている。
【００４２】
これに伴って、可動歯車２８の第１凹凸部３１と固定歯車３０の第２凹凸部３２とは、図５および図６に示すように、操作部材１２の頭部１６を１５度回転させた際に、固定歯車３０に対して可動歯車２８が１５度回転して、第１凹凸部３１と第２凹凸部３２とが係脱可能に係合することにより、内転リング１１の回転見切り板２６が目盛マーク２６ｂの１目盛分ずれるように構成されている。
【００４３】
すなわち、第１凹凸部３１は、図６（ｂ）に示すように、複数の溝部３１ａと複数の山部３１ｂとを有し、これらが可動歯車２８の内側面の全面に亘って１５度の角度間隔で放射状に交互に配列されている。同様に、第２凹凸部３２は、図６（ａ）に示すように、複数の溝部３２ａと複数の山部３２ｂとを有し、これらが固定歯車３０の外側面の全面に亘って１５度の角度間隔で放射状に交互に配列されている。
【００４４】
これにより、第１凹凸部３１と第２凹凸部３２とは、図２に示すように、ばね部材２９のばね力によって互いに押し付けられた際に、図６（ａ）および図６（ｂ）に示すように、第１凹凸部３１の山部３１ｂが第２凹凸部３２の溝部３２ａに係合すると共に、第２凹凸部３２の山部３２ｂが第１凹凸部３１の溝部３１ａに係合するように構成されている。
【００４５】
また、これら第１凹凸部３１と第２凹凸部３２とは、図６（ａ）および図６（ｂ）に示すように、可動歯車２８が操作部材１２と共に回転する際に、ばね部材２９のばね力に抗して第１凹凸部３１の山部３１ｂが第２凹凸部３２の山部３２ｂを乗り越えて隣接する第２凹凸部３２の溝部３２ａに係合すると共に、第２凹凸部３２の山部３２ｂが第１凹凸部３１の山部３１ｂを相対的に乗り越えて隣接する第１凹凸部３１の溝部３１ａに係合するように構成されている。
【００４６】
この場合、これら第１凹凸部３１と第２凹凸部３２とは、図２および図６に示すように、第１凹凸部３１の山部３１ｂが第２凹凸部３２の山部３２ｂを乗り越えて隣接する溝部３２ａに係合すると共に、第２凹凸部３２の山部３２ｂが第１凹凸部３１の山部３１ｂを相対的に乗り越えて隣接する溝部３１ａに係合する際に、ばね部材２９のばね力によってクリック感を操作部材１２に操作感として付与するように構成されている。
【００４７】
これにより、この回転操作装置１０は、図２〜図６に示すように、操作部材１２の頭部１６を回転させて内転リング１１を回転させる際に、頭部１６を１５度回転させて駆動歯車１３を１５度回転させると、これに伴って内転リング１１が１５度回転し、この内転リング１１の回転見切り板２６が目盛マーク２６ｂの１目盛だけ回転し、目盛マーク２６ｂが１目盛ずれると共に、この目盛マーク２６ｂが１目盛ずれる毎にクリック感が操作部材１２に操作感として付与されるように構成されている。
【００４８】
次に、この腕時計における回転操作装置１０の作用について説明する。
通常は、図２に示すように、腕時計ケース１の貫通孔１ａ内に固定された円筒部材１５内に回転可能でかつスライド可能に設けられた操作部材１２が、ばね部材２９のばね力によって腕時計ケース１の外部に向けて押し出される方向、つまり操作部材１２の第１の位置に付勢されている。このときには、ばね部材２９のばね力によって可動歯車２８が固定歯車３０に押し付けられることにより、可動歯車２８の第１凹凸部３１と固定歯車３０の第２凹凸部３２とが係合した状態になる。
【００４９】
この状態では、操作部材１２の頭部１６と軸部１７とが第１の位置に押し出されて、操作部材１２の軸部１７の内端部に設けられた抜止め部材２１が駆動歯車１３の内側面に当接して、駆動歯車１３を円筒部材１５の内端部に押し付ける。このため、操作部材１２の軸部１７の内端部が腕時計ケース１内に配置された時計モジュール６の接点部（図示せず）から離れた位置に配置される。これにより、時計モジュール６のスイッチがオフ状態になる。
【００５０】
また、操作部材１２の頭部１６をばね部材２９のばね力に抗して押圧すると、図２に示すように、可動歯車２８が固定歯車３０に押し付けられて、可動歯車２８の第１凹凸部３１と固定歯車３０の第２凹凸部３２とが係合した状態で、操作部材１２の頭部１６と軸部１７とが第２の位置に押し込まれる。
【００５１】
この状態では、頭部１６が円筒部材１５の大径筒部１５ｂの外周を覆って腕時計ケース１の外面に接近し、軸部１７の内端部の抜止め部材２１が駆動歯車１３の内側面から離れ、軸部１７の内端部が腕時計ケース１内の時計モジュール６の接点部（図示せず）を押してスイッチをオン状態にする。
【００５２】
このように、操作部材１２がばね部材２９のばね力によって押し出された第１の位置に配置されていても、また操作部材１２がばね部材２９のばね力に抗して押し込まれた第２の位置に配置されていても、操作部材１２の軸部１７の移動に対して駆動歯車１３が相対的にスライドすることにより、駆動歯車１３は腕時計ケース１内の内転リング１１のラック２４に噛み合った状態を維持する。
【００５３】
一方、この腕時計において内転リング１１を回転させて、内転リング１１の回転見切り板２６に表示された方位の目盛マーク２６ｂを選択して指定する場合には、図１および図２に示すように、操作部材１２の頭部１６を回転操作する。すると、操作部材１２の軸部１７が回転し、この軸部１７の回転に伴って駆動歯車１３が回転し、この駆動歯車１３の回転に応じて内転リング１１が腕時計ケース１の内周面に沿って回転移動する。
【００５４】
この場合には、操作部材１２の内端部に設けられたほぼ角棒状の軸部１７が、駆動歯車１３の中心に設けられた角孔状の軸孔２２に挿入されているので、操作部材１２の軸部１７が回転すると、その軸部１７の回転と共に駆動歯車１３が回転する。このときには、駆動歯車１３の上部側に位置する歯部１３ａが腕時計ケース１内の内転リング１１のラック２４に噛み合っているので、駆動歯車１３の回転に伴って内転リング１１が腕時計ケース１の内周面に沿って回転移動する。
【００５５】
また、このときには、図２に示すように、内転リング１１の回転体２５が腕時計ケース１のガイド保持部１４上に回転移動可能に配置され、ラック２４がガイド保持部１４のガイド溝２７内に回転移動可能に配置されているので、内転リング１１の回転体２５およびラック２４の径方向の位置が規制されている。このため、内転リング１１の回転体２５およびラック２４は、その径方向におけるガタつきや遊びが小さく抑えられているので、内転リング１１が腕時計ケース１の内周面に沿って円滑に回転移動する。
【００５６】
このように、操作部材１２の頭部１６が回転する際には、固定歯車３０が円筒部材１５の大径筒部１５ｂ内に固定された状態で、可動歯車２８が操作部材１２と共に回転する。すなわち、操作部材１２の頭部１６が１５度回転すると、ばね部材２９のばね力に抗して可動歯車２８が操作部材１２の軸方向にスライドして、可動歯車２８の第１凹凸部３１の山部３１ｂが固定歯車３０の第２凹凸部３２の山部３２ｂを乗り越える。
【００５７】
このときには、操作部材１２の頭部１６が１５度回転すると、ばね部材２９のばね力に抗して可動歯車２８が操作部材１２の軸方向にスライドしながら、可動歯車２８の第１凹凸部３１の山部３１ｂが固定歯車３０の第２凹凸部３２の山部３２ｂを乗り越えて隣接する第２凹凸部３２の溝部３２ａに係合する。これと同時に、固定歯車３０の第２凹凸部３２の山部３２ｂが可動歯車２８の第１凹凸部３１の山部３１ｂを相対的に乗り越えて隣接する第１凹凸部３１の溝部３１ａに係合する。
【００５８】
このように、第１凹凸部３１の山部３１ｂが第２凹凸部３２の山部３２ｂを乗り越えて隣接する溝部３２ａに係合すると共に、第２凹凸部３２の山部３２ｂが第１凹凸部３１の山部３１ｂを相対的に乗り越えて隣接する溝部３１ａに係合する際には、ばね部材２９のばね力によって操作部材１２にクリック感が操作感として付与される。
【００５９】
このため、操作部材１２の頭部１６を回転させて内転リング１１を回転させる際には、頭部１６を１５度回転させて駆動歯車１３を１５度回転させると、これに伴って内転リング１１が１５度回転し、この内転リング１１の回転見切り板２６が目盛マーク２６ｂの１目盛だけ回転して、目盛マーク２６ｂが１目盛ずれると共に、この目盛マーク２６ｂが１目盛ずれる毎に、第１凹凸部３１と第２凹凸部３２との係合動作によってクリック感が操作部材１２に操作感として付与される。
【００６０】
これにより、内転リング１１の回転見切り板２６を視認してなくても、内転リング１１の回転量および回転位置を、第１凹凸部３１と第２凹凸部３２との係合動作によるクリック感である操作部材１２の操作感によって確認することができる。このため、内転リング１１の回転見切り板２６に表示された方位の目盛マーク２６ｂを正確にかつ良好に選択して指定することができる。
【００６１】
このように、この腕時計の回転操作装置１０によれば、腕時計ケース１の貫通孔１ａに固定された円筒部材１５と、頭部１６およびこの頭部１６に連設されて円筒部材１５内に回転可能に挿入する軸部１７を有する操作部材１２と、この操作部材１２の軸部１７の端部に取り付けられた駆動歯車１３と、腕時計ケース１の内部に回転移動可能に配置され、かつ駆動歯車１３が噛み合うラック２４を有する内転リング１１と、軸部１７の中央部に配置され、操作部材１２と共に回転し、かつ腕時計ケース１の内部側面に第１凹凸部３１を有する可動歯車２８と、この可動歯車２８を腕時計ケース１の内部側に付勢するばね部材２９と、を備え、円筒部材１５が第１係合部に対応する第２凹凸部３２を有しているので、内転リング１１の回転位置を視認しなくても、操作感によって確認できる。
【００６２】
すなわち、この腕時計の回転操作装置１０では、操作部材１２の頭部１６を回転させて、駆動歯車１３が内転リング１１を腕時計ケース１の内周面に沿って回転移動させる際に、第１凹凸部３１と第２凹凸部３２とを係脱可能に係合させることができると共に、第１凹凸部３１と第２凹凸部３２とが係合する際に、ばね部材２９のばね力によって操作部材１２にクリック感を操作感として付与することができる。これにより、内転リング１１の回転位置を視認しなくても、操作部材１２の操作感によって内転リング１１の回転量および回転位置を確認することができる。
【００６３】
この場合、第２凹凸部３２は、円筒部材１５内に固定された固定歯車３０に、第１凹凸部３１と対応して設けられていることにより、第２凹凸部３２を円筒部材１５に形成する必要がないので、円筒部材１５の構造を簡素化することができると共に、第２凹凸部３２の形状が複雑であっても、第２凹凸部３２を固定歯車３０に容易に設けることができるので、第２凹凸部３２を正確にかつ良好に第１凹凸部３１に係脱可能に係合させることができる。
【００６４】
また、この固定歯車３０は、腕時計ケース１の内部側に向けて突出する回転止め用の突起部３０ｂを有し、この回転止め用の突起部３０ｂを円筒部材１５の大径筒部１５ｂにおける内部の側面に設けられた回転止め用の凹部１５ｅに挿入させることにより、簡単な構造で、円筒部材１５に対する固定歯車３０の回転を容易にかつ確実に阻止することができ、この状態でばね部材２９のばね力によって固定歯車３０が円筒部材１５に押し付けられるので、固定歯車３０を円筒部材１５に対して確実に固定することができる。
【００６５】
この場合、この回転操作装置１０では、第１凹凸部３１と第２凹凸部３２とが内転リング１１の回転角度と関連する角度で設けられていることにより、操作部材１２の頭部１６を回転させて内転リング１１を回転させる際に、頭部１６を所定角度回転させると、これに連動して駆動歯車１３が内転リング１１を所定角度回転させることができると共に、内転リング１１が所定角度回転する毎に、第１凹凸部３１と第２凹凸部３２との係合動作によるクリック感を、操作部材１２に確実にかつ良好に操作感として付与することができる。
【００６６】
すなわち、この回転操作装置１０では、第１凹凸部３１と第２凹凸部３２とが、予め定められた角度で等間隔に複数設けられていることにより、操作部材１２の頭部１６を第１凹凸部３１と第２凹凸部３２との各角度と同じ角度で回転させると、ばね部材２９のばね力によって第１凹凸部３１と第２凹凸部３２とを係脱可能に係合させることができ、これにより操作部材１２の頭部１６を第１凹凸部３１と第２凹凸部３２との各角度と同じ角度で回転させる毎に、クリック感を操作部材１２に操作感として付与することができる。
【００６７】
この場合、第１凹凸部３１と第２凹凸部３２とは、それぞれ複数の溝部３１ａ、３２ａと複数の山部３１ｂ、３２ｂとを有し、これらが１５度の角度間隔で交互に放射状に配列されていることにより、ばね部材２９のばね力によって互いに押し付けられた際に、第１凹凸部３１の山部３１ｂを第２凹凸部３２の溝部３２ａに確実にかつ良好に係合させることができると共に、第２凹凸部３２の山部３２ｂを第１凹凸部３１の溝部３１ａに確実にかつ良好に係合させることができる。
【００６８】
また、これら第１凹凸部３１と第２凹凸部３２とは、可動歯車２８が操作部材１２と共に１５度回転する際に、ばね部材２９のばね力に抗して第１凹凸部３１の山部３１ｂが第２凹凸部３２の山部３２ｂを乗り越えた後に、隣接する第２凹凸部３２の溝部３２ａに第１凹凸部３１の山部３１ｂを係合させることができる共に、第２凹凸部３２の山部３２ｂが第１凹凸部３１の山部３１ｂを相対的に乗り越えた後に、隣接する第１凹凸部３１の溝部３１ａに第２凹凸部３２の山部３２ｂを係合させることができる。
【００６９】
このため、第１凹凸部３１と第２凹凸部３２とは、第１凹凸部３１の山部３１ｂが第２凹凸部３２の山部３２ｂを乗り越えて隣接する溝部３２ａに係合すると共に、第２凹凸部３２の山部３２ｂが第１凹凸部３１の山部３１ｂを相対的に乗り越えて隣接する溝部３１ａに係合する際に、ばね部材２９のばね力によってクリック感を確実にかつ良好に操作部材１２に操作感として付与することができる。
【００７０】
これにより、この回転操作装置１０では、操作部材１２の頭部１６を回転させて、駆動歯車１３が内転リング１１を回転させる際に、頭部１６を１５度回転させると、これに伴って内転リング１１を１５度回転させることができ、この内転リング１１の回転見切り板２６を目盛マーク２６ｂの１目盛だけ回転させ、この目盛マーク２６ｂを確実にかつ良好に１目盛ずらすことができる。
【００７１】
また、この回転操作装置１０では、頭部１６を１５度ずつ回転させて、駆動歯車１３が内転リング１１を１５度ずつ回転させ、この内転リング１１の目盛マーク２６ｂが１目盛ずれる毎に、第１凹凸部３１と第２凹凸部３２との係合動作によるクリック感を、操作部材１２に確実にかつ良好に操作感として付与することができ、これにより内転リング１１の回転位置を視認しなくても、操作部材１２の操作感によって内転リング１１の回転量および回転位置を確認することができる。
【００７２】
（第２実施形態）
次に、図７（ａ）および図７（ｂ）を参照して、この発明を腕時計に適用した第２実施形態について説明する。なお、図１〜図６に示された第１実施形態と同一部分には同一符号を付して説明する。
この腕時計の回転操作装置１０は、図７（ａ）および図７（ｂ）に示すように、可動歯車２８の第１凹凸部３５と固定歯車３０の第２凹凸部３６とが、第１実施形態と異なる構成であり、これ以外は第１実施形態と同じ構成になっている。
【００７３】
すなわち、可動歯車２８の第１凹凸部３５と固定歯車３０の第２凹凸部３６とは、図７（ａ）および図７（ｂ）に示すように、操作部材１２の頭部１６を９０度回転させた際に、固定歯車３０に対して可動歯車２８が９０度回転して、第１凹凸部３５と第２凹凸部３６とが係脱可能に係合することにより、内転リング１１の回転見切り板２６を目盛マーク２６ｂの６目盛分（９０度）ずらすように構成されている。
【００７４】
この場合、第１凹凸部３５は、図７（ｂ）に示すように、複数の溝部３５ａと複数の山部３５ｂとを有し、これらが可動歯車２８の内側面に９０度の角度間隔で放射状に配列されている。同様に、第２凹凸部３６は、図７（ａ）に示すように、複数の溝部３６ａと複数の山部３６ｂとを有し、これらが固定歯車３０の外側面に９０度の角度間隔で放射状に配列されている。
【００７５】
すなわち、第２凹凸部３６は、図７（ａ）に示すように、山部３６ｂが９０度の角度間隔で放射状に設けられ、この山部３６ｂの各両側に溝部３６ａがそれぞれ放射状に設けられた構成になっている。これにより、第２凹凸部３６は、複数の山部３６ｂが９０度の角度間隔ごとに１個ずつ放射状に形成され、複数の溝部３７ｂが９０度の角度間隔ごとに各山部３６ｂの両側にそれぞれ２個ずつ放射状に形成された構成になっている。
【００７６】
一方、第１凹凸部３５は、図７（ｂ）に示すように、複数の溝部３５ａのうち、基準位置の溝部３５ａが９０度の角度間隔で放射状に設けられ、この基準位置の溝部３５ａの各両側に山部３５ｂがそれぞれ放射状に設けられ、これら各山部３５ｂの両側にそれぞれ溝部３５ａが放射状に設けられた構成になっている。これにより、第１凹凸部３５は、複数の溝部３５ａが９０度の角度間隔ごとに３個ずつ放射状に形成され、複数の山部３８ａが９０度の角度間隔ごとに２個ずつ放射状に形成された構成になっている。
【００７７】
このため、第１凹凸部３５と第２凹凸部３６とは、図７（ａ）および図７（ｂ）に示すように、互いに対応した基準位置の状態で、ばね部材２９のばね力によって互いに押し付けられた際に、第１凹凸部３５の山部３５ｂ間に位置する基準位置の溝部３５ａに第２凹凸部３６の山部３６ｂが係合するように構成されている。
【００７８】
また、これら第１凹凸部３５と第２凹凸部３６とは、図７（ａ）および図７（ｂ）に示すように、可動歯車２８が操作部材１２と共に回転する際に、ばね部材２９のばね力に抗して第１凹凸部３５の山部３５ｂ間に位置する基準位置の溝部３５ａに係合している第２凹凸部３６の山部３６ｂが、第１凹凸部３５の山部３５ｂを相対的に乗り越えることにより、第１凹凸部３５の山部３５ｂが第２凹凸部３６の山部３６ｂに対して自由状態になるように構成されている。
【００７９】
この場合、これら第１凹凸部３５と第２凹凸部３６とは、図７（ａ）および図７（ｂ）に示すように、第２凹凸部３６の山部３６ｂが第１凹凸部３５の山部３５ｂを相対的に乗り越えて、第１凹凸部３５の山部３５ｂが第２凹凸部３６の山部３６ｂに対して自由状態になる際に、ばね部材２９のばね力によってクリック感を操作部材１２に操作感として付与するように構成されている。
【００８０】
これにより、この回転操作装置１０は、第１実施形態と同様、操作部材１２の頭部１６を回転させて、駆動歯車１３が内転リング１１を回転させる際に、頭部１６を９０度回転させると、これに伴って内転リング１１が９０度回転し、この内転リング１１の回転見切り板２６が９０度回転することにより、方位の目盛マーク２６ｂが６目盛分（９０度）だけずれると共に、この目盛マーク２６ｂが６目盛（９０度）ずれる毎に、第１凹凸部３１と第２凹凸部３２との係合動作によるクリック感が、操作部材１２に操作感として付与されるように構成されている。
【００８１】
このような腕時計の回転操作装置１０では、可動歯車２８の第１凹凸部３５と固定歯車３０の第２凹凸部３６とが、それぞれ複数の溝部３５ａ、３６ａと複数の山部３５ｂ、３６ｂとを有し、これらが９０度の角度間隔で放射状に配列されていることにより、第１実施形態と同様、ばね部材２９のばね力によって互いに押し付けられた際に、第２凹凸部３６の山部３６ｂを第１凹凸部３５の山部３５ｂ間に位置する溝部３５ａに係合させることができる。
【００８２】
また、これら第１凹凸部３５と第２凹凸部３６とは、可動歯車２８が操作部材１２と共に回転する際に、ばね部材２９のばね力に抗して第１凹凸部３５の山部３５ｂ間に位置する基準位置の溝部３５ａに係合している第２凹凸部３６の山部３６ｂが、第１凹凸部３５の山部３５ｂを相対的に乗り越えることにより、第１凹凸部３５の山部３５ｂを第２凹凸部３６の山部３６ｂに対して自由状態にさせることができる。
【００８３】
また、第１凹凸部３５と第２凹凸部３６とは、第１凹凸部３５の山部３５ｂ間に位置する基準位置の溝部３５ａに係合している第２凹凸部３６の山部３６ｂが第１凹凸部３５の山部３５ｂを相対的に乗り越えて、第１凹凸部３５の山部３５ｂを第２凹凸部３６の山部３６ｂに対して自由状態にさせる際に、第１実施形態と同様、ばね部材２９のばね力によってクリック感を確実にかつ良好に操作部材１２に操作感として付与することができる。
【００８４】
このため、この回転操作装置１０においても、操作部材１２の頭部１６を回転させて、駆動歯車１３が内転リング１１を回転させる際に、頭部１６を９０度回転させると、これに伴って内転リング１１を９０度回転させることができ、この内転リング１１の回転見切り板２６を目盛マーク２６ｂの６目盛分（９０度）だけ回転させ、目盛マーク２６ｂを確実にかつ良好に６目盛ずらすことができる。
【００８５】
また、この回転操作装置１０では、頭部１６を９０度ずつ回転させて、内転リング１１の目盛マーク２６ｂを６目盛（９０度）ずらす毎に、第１実施形態と同様、第１凹凸部３５と第２凹凸部３６との係合動作によるクリック感を、操作部材１２に確実にかつ良好に操作感として付与することができ、これにより内転リング１１の回転位置を視認しなくても、操作部材１２の操作感によって内転リング１１の回転量および回転位置を確認することができる。
【００８６】
（第３実施形態）
次に、図８および図９を参照して、この発明を腕時計に適用した第３実施形態について説明する。この場合にも、図１〜図６に示された第１実施形態と同一部分に同一符号を付して説明する。
この腕時計の回転操作装置１０は、図８および図９に示すように、可動歯車２８の第１凹凸部４０と固定歯車３０の第２凹凸部４１とが、第１実施形態と異なる構成であり、これ以外は第１実施形態と同じ構成になっている。
【００８７】
この場合、可動歯車２８の第１凹凸部４０と固定歯車３０の第２凹凸部４１とは、図８および図９に示すように、操作部材１２の頭部１６を所定角度回転させた際に、固定歯車３０に対して可動歯車２８が頭部１６と同じ角度回転して、第１凹凸部４０と第２凹凸部４１とが係脱可能に係合するように構成になっている。また、これら第１凹凸部４０と第２凹凸部４１とは、可動歯車２８と固定歯車３０との各回転中心部側とその各外周部側とで、それぞれ凹凸高さ、つまり噛み合い深さが異なった構成になっている。
【００８８】
すなわち、固定歯車３０の第２凹凸部４１は、図８（ａ）に示すように、固定歯車３０の回転中心部側に複数の内周側溝部４４ａと複数の内周側山部４４ｂとが設けられ、その外周部側に複数の外周側溝部４５ａと複数の外周側山部４５ｂとが設けられた構成になっている。この固定歯車３０の第２凹凸部４１における回転中心部側に位置する複数の内周側溝部４４ａと複数の内周側山部４４ｂとは、１５度の角度間隔で放射状に交互に配列されている。
【００８９】
また、この固定歯車３０の第２凹凸部４１における外周部側に位置する複数の外周側溝部４５ａと複数の外周側山部４５ｂとは、図８（ａ）に示すように、９０度の角度間隔で放射状に配列されている。すなわち、外周部側の複数の外周側山部４５ｂは、９０度の角度間隔で４箇所に設けられている。複数の外周側溝部４５ａは、複数の外周側山部４５ｂの各両側にそれぞれ放射状に設けられている。
【００９０】
これに伴って、固定歯車３０の外周部側に位置する複数の外周側山部４５ｂは、図８（ａ）に示すように、その稜線が回転中心部側に位置する複数の内周側山部４４ｂの稜線と放射方向に一致するように構成されている。同様に、固定歯車３０の外周部側に位置する複数の外周側溝部４５ａは、その谷底が回転中心部側に位置する複数の内周側溝部４４ａの谷底と放射方向に一致するように構成されている。
【００９１】
この場合、外周部側の複数の外周側山部４５ｂは、図９に示すように、その稜線の高さつまり突出高さが回転中心部側の複数の内周側山部４４ｂの稜線の高さよりも高く形成されている。同様に、外周部側の複数の外周側溝部４５ａは、その谷底の深さつまり噛み合い深さが回転中心部側の複数の内周側溝部４４ａの谷底の深さよりも深く形成されている。
【００９２】
一方、可動歯車２８の第１凹凸部４０は、図８（ｂ）に示すように、可動歯車２８の回転中心部側に複数の内周側溝部４２ａと複数の内周側山部４２ｂとが設けられ、その外周部側に複数の外周側溝部４３ａと複数の外周側山部４３ｂとが設けられた構成になっている。この場合、可動歯車２８の第１凹凸部４０における回転中心部側に位置する複数の内周側溝部４２ａと複数の内周側山部４２ｂとは、１５度の角度間隔で放射状に交互に配列されている。
【００９３】
また、可動歯車２８の第１凹凸部４０における外周部側に位置する複数の外周側溝部４３ａと複数の外周側山部４３ｂとは、図８（ｂ）に示すように、９０度の角度間隔で放射状に配列されている。すなわち、外周部側の複数の外周側溝部４３ａのうち、基準位置の外周側溝部４３ａは、９０度の角度間隔で４箇所に放射状に設けられている。複数の外周側山部４３ｂは、４箇所の基準位置の外周側溝部４３ａの各両側にそれぞれ放射状に設けられている。
【００９４】
このため、外周部側の基準位置以外の複数の外周側溝部４３ａは、図８（ｂ）に示すように、複数の外周側山部４３ｂの各両側にそれぞれ放射状に設けられている。これにより、第１凹凸部４０における複数の外周側溝部４３ａは、９０度の角度間隔ごとに３個ずつ放射状に形成されており、複数の外周側山部４３ｂは、９０度の角度間隔ごとに２個ずつ放射状に形成されている。
【００９５】
また、可動歯車２８の外周部側に位置する複数の外周側山部４３ｂは、図８（ｂ）に示すように、その各稜線が回転中心部側に位置する複数の内周側山部４２ｂの稜線と放射方向に一致するように構成されている。同様に、可動歯車２８の外周部側に位置する複数の外周側溝部４３ａは、その各谷底が回転中心部側に位置する複数の内周側溝部４２ａの谷底と放射方向に一致するように構成されている。
【００９６】
この場合、可動歯車２８の外周部側の複数の外周側山部４３ｂは、図９に示すように、その稜線の高さつまり突出高さが回転中心部側の複数の内周側山部４２ｂの稜線の高さよりも高く形成されている。同様に、可動歯車２８の外周部側の複数の外周側溝部４３ａは、その谷底の深さつまり噛み合い深さが回転中心部側の複数の内周側溝部４２ａの谷底の深さよりも深く形成されている。
【００９７】
これにより、第１凹凸部４０と第２凹凸部４１とは、図８および図９に示すように、基準位置において、ばね部材２９のばね力によって互いに押し付けられた際に、第１凹凸部４０の内周側溝部４２ａが第２凹凸部４１の内周側山部４４ｂに係合すると共に、第２凹凸部４１の外周側山部４５ｂが第１凹凸部４０の外周側山部４３ｂ間に位置する基準位置の外周側溝部４３ａに係合するように構成されている。
【００９８】
また、これら第１凹凸部４０と第２凹凸部４１とは、図８（ａ）および図８（ｂ）に示すように、可動歯車２８が操作部材１２と共に回転する際に、ばね部材２９のばね力に抗して第１凹凸部４０の内周側山部４２ｂと外周側山部４３ｂとが第２凹凸部４１の内周側山部４４ｂと外周側山部４５ｂとを乗り越えると、第１凹凸部４０の内周側山部４２ｂが隣接する第２凹凸部４１の内周側溝部４４ａに係合し、第１凹凸部４０の外周側山部４３ｂが第２凹凸部４１の外周側山部４５ｂに対して自由状態になるように構成されている。
【００９９】
この場合、これら第１凹凸部４０と第２凹凸部４１とは、図８および図９に示すように、第１凹凸部４０の外周側山部４３ｂが第２凹凸部４１の外周側山部４５ｂを乗り越える際におけるばね部材２９のばね力によって発生するクリック感が、第１凹凸部４０の内周側山部４２ｂが第２凹凸部４１の内周側山部４４ｂを乗り越える際におけるばね部材２９のばね力によって発生するクリック感よりも大きく、この大きなクリック感が操作部材１２に操作感として付与されるように構成されている。
【０１００】
また、第１凹凸部４０と第２凹凸部４１とは、図８および図９に示すように、第１凹凸部４０の内周側溝部４２ａが第２凹凸部４１の内周側溝部４４ａに係合し、第１凹凸部４０の外周側山部４３ｂが第２凹凸部４１の外周側山部４５ｂに対して自由状態のときに、可動歯車２８が操作部材１２と共に１５度回転すると、第１凹凸部４０の内周側山部４２ｂが第２凹凸部４１の内周側山部４４ｂを乗り越える際におけるばね部材２９のばね力によって発生するクリック感が、第１凹凸部４０の外周側山部４３ｂが第２凹凸部４１の外周側山部４５ｂを乗り越える際のクリック感よりも小さくなるように構成されている。
【０１０１】
次に、このような腕時計の回転操作装置１０の作用について説明する。
この回転操作装置１０の操作部材１２を操作する際には、第１凹凸部４０と第２凹凸部４１とがばね部材２９のばね力によって互いに押し付けられている。この場合には、第１凹凸部４０の内周側溝部４２ａに第２凹凸部４１の内周側山部４４ｂが係合し、第１凹凸部４０の外周側山部４３ｂ間に位置する基準位置の外周側溝部４３ａに第２凹凸部４１の外周側山部４５ｂが係合している状態が基準位置となる。
【０１０２】
この状態で、操作部材１２の頭部１６を１５度回転させると、ばね部材２９のばね力に抗して第１凹凸部４０の内周側山部４２ｂと外周側山部４３ｂとが第２凹凸部４１の内周側山部４４ｂと外周側山部４５ｂとを乗り越え、第１凹凸部４０の内周側山部４２ｂが隣接する第２凹凸部４１の内周側溝部４４ａに係合し、第１凹凸部４０の外周側山部４３ｂが第２凹凸部４１の外周側山部４５ｂに対して自由状態になる。
【０１０３】
このときには、第１凹凸部４０の外周側山部４３ｂと第２凹凸部４１の外周側山部４５ｂとの各稜線の高さつまり各突出高さが、第１凹凸部４０の内周側山部４２ｂと第２凹凸部４１の内周側山部４４ｂとの各稜線の高さつまり各突出高さよりも高い。このため、第１凹凸部４０の外周側山部４３ｂが第２凹凸部４１の外周側山部４５ｂを乗り越える際に発生するクリック感が、第１凹凸部４０の内周側山部４２ｂが第２凹凸部４１の内周側山部４４ｂを乗り越える際に発生するクリック感よりも大きい。
【０１０４】
また、操作部材１２の頭部１６を１５度以上で９０度未満の角度で回転させた際には、第１凹凸部４０の外周側山部４３ｂが第２凹凸部４１の外周側溝部４５ａに噛み合わず、自由状態になっており、また第２凹凸部４１の外周側山部４５ｂが第１凹凸部４０の外周側溝部４３ａに噛み合わず、自由状態になっている。このため、第１凹凸部４０の内周側山部４２ｂが第２凹凸部４１の内周側山部４４ｂを乗り越えると共に、第２凹凸部４１の内周側山部４４ｂが第１凹凸部４０の内周側山部４２ｂを相対的に乗り越える。
【０１０５】
このときには、第１凹凸部４０の内周側山部４２ｂと第２凹凸部４１の内周側山部４４ｂとの各稜線の高さつまり各突出高さが、第１凹凸部４０の外周側山部４３ｂと第２凹凸部４１の外周側山部４５ｂとの各稜線の高さつまり各突出高さよりも低い。このため、第１凹凸部４０の内周側山部４２ｂが第２凹凸部４１の内周側山部４４ｂを乗り越え際に発生するクリック感が、第１凹凸部４０の外周側山部４３ｂが第２凹凸部４１の外周側山部４５ｂを乗り越える際に発生するクリック感よりも小さい。
【０１０６】
これにより、操作部材１２の頭部１６を回転させて、駆動歯車１３が内転リング１１を回転させる際に、頭部１６を１５度ずつ回転させると、これに伴って内転リング１１が１５度ずつ回転し、この内転リング１１の回転見切り板２６が１５度ずつ回転し、方位の目盛マーク２６ｂが１目盛ずつずれると共に、この目盛マーク２６ｂが１目盛ずつずれる毎に小さなクリック感が操作部材１２に操作感として付与される。
【０１０７】
また、操作部材１２の頭部１６を回転させて、駆動歯車１３が内転リング１１を回転させる際に、頭部１６を９０度ずつ回転させると、これに伴って内転リング１１が９０度ずつ回転し、この内転リング１１の回転見切り板２６が９０度ずつ回転し、方位の目盛マーク２６ｂが６目盛（９０度）ずつずれると共に、この目盛マーク２６ｂが６目盛（９０度）ずつずれる毎に大きなクリック感が操作部材１２に操作感として付与される。
【０１０８】
このように、この腕時計の回転操作装置１０によれば、可動歯車２８の第１凹凸部４０と固定歯車３０の第２凹凸部４１との各凹凸高さがそれぞれ回転中心部側とその外周部側とで異なった構成であるから、操作部材１２の頭部１６を回転させて内転リング１１を回転させる際に、頭部１６の回転角度によって大きなクリック感と小さなクリック感とを操作部材１２に操作感として付与することができる。
【０１０９】
すなわち、可動歯車２８の第１凹凸部４０は、その回転中心部側に内周側溝部４２ａと内周側山部４２ｂとが設けられ、その外周部側に外周側溝部４３ａと外周側山部４３ｂとが設けられ、これら外周側山部４３ｂの稜線の高さが内周側山部４２ｂの稜線の高さよりも高く形成されており、固定歯車３０の第２凹凸部４１は、その回転中心部側に内周側溝部４４ａと内周側山部４４ｂとが設けられ、その外周部側に外周側溝部４５ａと外周側山部４５ｂとが設けられ、これら外周側山部４５ｂの稜線の高さが内周側山部４４ｂの稜線の高さよりも高く形成されていることにより、頭部１６の回転角度によって大きなクリック感と小さなクリック感とを操作部材１２に操作感として付与することができる。
【０１１０】
この場合、第１凹凸部４０と第２凹凸部４１とは、これらの各内周側溝部４２ａ、４４ａおよび内周側山部４２ｂ、４４ｂとが１５度の角度間隔で形成されており、各外周側溝部４３ａ、４５ａおよび外周側山部４３ｂ、４５ｂとが９０度の角度間隔で形成されていることにより、頭部１６を９０度回転させる毎に大きなクリック感を操作部材１２に操作感として付与することができると共に、頭部１６を１５度回転させる毎に小さなクリック感を操作部材１２に操作感として付与することができる。
【０１１１】
このため、この回転操作装置１０では、操作部材１２の頭部１６を回転させて、駆動歯車１３が内転リング１１を回転させる際に、頭部１６を１５度ずつ回転させると、これに伴って内転リング１１が１５度回転し、この内転リング１１の回転見切り板２６が目盛マーク２６ｂの１目盛だけ回転し、目盛マーク２６ｂを確実にかつ良好に１目盛ずらすことができると共に、この目盛マーク２６ｂが１目盛ずれる毎に小さなクリック感を操作部材１２に確実にかつ良好に操作感として付与することができ、これにより内転リング１１の回転位置を視認しなくても、操作部材１２の操作感によって内転リング１１の１５度ずつの回転量および回転位置を確認することができる。
【０１１２】
また、この回転操作装置１０では、頭部１６を１５度ずつ回転させて９０度回転させると、これに伴って内転リング１１が９０度回転し、この内転リング１１の回転見切り板２６が目盛マーク２６ｂの６目盛分（９０度）だけ回転し、目盛マーク２６ｂを確実にかつ良好に６目盛分（９０度）ずらすことができると共に、この目盛マーク２６ｂが６目盛分（９０度）ずれる毎に、大きなクリック感を操作部材１２に操作感として付与することができるので、内転リング１１の回転位置を視認しなくても、操作部材１２の操作感によって内転リング１１の９０度の回転量および９０度の回転位置を確認することができる。
【０１１３】
なお、上述した第１〜第３の実施形態では、内転リング１１の回転見切り板２６に方位を示す目盛マーク２６ｂが表示された構成である場合について述べたが、この発明はこれに限らず、例えば、時間計測の目盛が表示された計測回転板、あるいは目盛機能を有しない回転板などであっても良い。
【０１１４】
また、上述した第１〜第３の実施形態では、第１凹凸部３１、３５、４０と第２凹凸部３２、３６、４１とを１５度と９０度との角度間隔で互いに係合するように構成した場合について述べたが、この発明はこれに限らず、例えば１度〜３６０度のうちの整数の角度でも良く、また３６０度の最大公約数の角度であっても良い。要は、内転リング１１の表示目盛と関連する角度であれば、必ずしも整数である必要はなく、小数点を含む角度であっても良い。
【０１１５】
また、上述した第１〜第３の実施形態では、第１凹凸部３１、３５、４０と第２凹凸部３２、３６、４１との両方に、複数の溝部と複数の山部とを設けた場合について述べたが、この発明はこれに限らず、例えば第１凹凸部３１、３５、４０と第２凹凸部３２、３６、４１とのうち、いずれか一方に複数の溝部と複数の山部とを１５度または９０度の角度間隔で設け、他方には基準となる１つの山部およびその両側の溝部のみを設けた構成であっても良い。
【０１１６】
さらに、上述した第１〜第３の実施形態では、第１凹凸部３１、３５、４０と第２凹凸部３２、３６、４１とを複数の溝部と複数の山部とで構成した場合について述べたが、この発明はこれに限らず、例えば可動歯車２８と固定歯車３０とのそれぞれ１箇所の基準位置のみに溝部と山部とを設けた構成であっても良い。
【０１１７】
また、上述した第１〜第３の実施形態では、第２凹凸部３２、３６、４１を円筒部材１５内に固定される固定歯車３０に設けた場合について述べたが、この発明はこれに限らず、例えば円筒部材１５の大径筒部１５ｂにおける内部の側面に直接第２凹凸部を形成した構成であっても良い。
【０１１８】
また、上述した第１〜第３の実施形態では、操作部材１２の頭部１６を１回転させた際に、内転リング１１が１回転するように構成されている場合について述べたが、この発明はこれに限らず、例えば操作部材１２の頭部１６を複数回転（例えば２回転以上）させた際、または頭部１６を１回転以下（例えば半回転、１／４回転）で回転させた際に、内転リング１１が１回転するように構成しても良い。
【０１１９】
さらに、上述した実施形態およびその各変形例では、腕時計に適用した場合について述べたが、この発明は必ずしも腕時計である必要はなく、例えばトラベルウオッチ、目覚まし時計、置き時計、掛け時計などの各種の時計に適用することができる。また、この発明は、必ずしも時計である必要はなく、携帯電話機や携帯情報端末機などの電子機器にも適用することができる。
【０１２０】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１２１】
（付記）
請求項１に記載の発明は、ケースの貫通孔に固定された円筒部材と、前記ケースの外部に位置する操作用の頭部およびこの頭部に連設されて前記円筒部材内に回転可能に挿入する軸部を有する操作部材と、前記操作部材の前記軸部の端部に取り付けられた駆動歯車と、前記ケースの内部に回転移動可能に配置され、かつ前記駆動歯車に向けて突出した状態で設けられて前記駆動歯車が噛み合うラックを有する内転リングと、前記軸部の中央部に配置され、前記操作部材と共に回転し、前記ケースの内部側面に第１の凹凸部を有する可動歯車と、前記可動歯車を前記ケースの内部側に付勢する付勢部材と、を備え、前記円筒部材は、前記第１の凹凸部に対応して設けられた第２の凹凸部を有することを特徴とする回転操作装置である。
【０１２２】
請求項２に記載の発明は、請求項１に記載の回転操作装置において、前記第２の凹凸部は、前記円筒部材内に固定された固定歯車に、前記第１の凹凸部と対応して設けられていることを特徴とする回転操作装置である。
【０１２３】
請求項３に記載の発明は、請求項１または請求項２に記載の回転操作装置において、前記第１の凹凸部と前記第２の凹凸部とは、前記内転リングの回転角度と関連する角度で設けられていることを特徴とする回転操作装置である。
【０１２４】
請求項４に記載の発明は、請求項１〜請求項３のいずれかに記載の回転操作装置において、前記第１の凹凸部と前記第２の凹凸部とは、前記可動歯車と前記円筒部材との対向面における予め定められた基準位置に設けられて互いに係脱可能に係合することを特徴とする回転操作装置である。
【０１２５】
請求項５に記載の発明は、請求項１〜請求項４のいずれかに記載の回転操作装置において、前記第１の凹凸部と前記第２の凹凸部とのうち、少なくとも一方は、予め定められた角度で等間隔に複数設けられていることを特徴とする回転操作装置である。
【０１２６】
請求項６に記載の発明は、請求項５に記載の回転操作装置において、前記予め定められた角度は、１度〜３６０度のうちの整数の角度、または３６０度の最大公約数の角度に設定されていることを特徴とする回転操作装置である。
【０１２７】
請求項７に記載の発明は、請求項１〜請求項６のいずれかに記載の回転操作装置において、前記第１の凹凸部と前記第２の凹凸部とは、前記可動歯車と前記円筒部材との各中心部側とその各外周部側とで凹凸高さが異なっていることを特徴とする回転操作装置である。
【０１２８】
請求項８に記載の発明は、請求項１〜請求項７のいずれかに記載された回転操作装置を備えていることを特徴とする時計である。
【符号の説明】
【０１２９】
１  腕時計ケース
１ａ  貫通孔
６  時計モジュール
１０  回転操作装置
１１  内転リング
１２  操作部材
１３  駆動歯車
１５  円筒部材
１６  頭部
１７  軸部
２４  ラック
２６  回転見切り板
２６ａ  斜面
２６ｂ  目盛
２７  ガイド溝
２８  可動歯車
２９  ばね部材
３０  固定歯車
３１、３５、４０  第１凹凸部
３２、３６、４１  第２凹凸部
３１ａ、３２ａ、３５ａ、３６ａ  溝部
３１ｂ、３２ｂ、３５ｂ、３６ｂ  山部
４２ａ、４４ａ  内周側溝部
４２ｂ、４４ｂ  内周側山部
４３ａ、４５ａ  外周側溝部
４３ｂ、４５ｂ  外周側山部
【図１】
0006601664.tif 000002
【図２】
0006601664.tif 000003
【図３】
0006601664.tif 000004
【図４】
0006601664.tif 000005
【図５】
0006601664.tif 000006
【図６】
0006601664.tif 000007
【図７】
0006601664.tif 000008
【図８】
0006601664.tif 000009
【図９】
0006601664.tif 000010